(57)【要約】【課題】  従来のカタログでは、商品の使用方法図はいくつかの画像から成るのであるが、それらの画像の並べ方が多種多様であって一定せず、どの画像の順番に従って使用すればよいのか即座に判断できない場合が多くあった。本発明は、このような従来品の欠点を除去し、商品の画像を見たときに、その使用方法を即座に把握することができるカタログを提供することを目的とする。【解決手段】  少なくとも１枚の紙片に、商品の画像及びその商品の使用方法が記載されたカタログであって、前記1枚の紙片は左側の欄と右側の欄に分けられ、一方の欄は商品の概要を示す画像が記載された商品欄であり、他方の欄はその商品の一部又は全体の画像を利用した使用方法画像を含む使用方法が記載されている使用方法欄である。【選択図】  図１
2005031579.tif 000002
【特許請求の範囲】
【請求項１】
少なくとも１枚の紙片に、商品の画像及びその商品の使用方法が記載されたカタログであって、前記１枚の紙片は左側の欄と右側の欄に分けられ、一方の欄は商品の概要を示す画像が記載された商品欄であり、他方の欄はその商品の一部又は全体の画像を利用した使用方法画像を含む使用方法が記載されている使用方法欄であることを特徴とするカタログ
【請求項２】
前記左右の欄はそれぞれ上下方向に複数の欄に分かれており、隣接する左右の欄の上下幅は同一で、上下方向の位置に関しても同一である請求項１記載のカタログ
【請求項３】
商品欄内であってその商品欄の商品の画像と、その隣りの使用方法欄との間に、使用方法欄方向を指示する方向指示記号が記載されている請求項１又は請求項２記載のカタログ
【請求項４】
左側の欄が商品欄であり、右側の欄が使用方法欄である請求項１乃至請求項３記載のカタログ
【請求項５】
１つの使用方法欄に少なくとも２つの使用方法画像が記載され、該使用方法画像は作業の手順に従って並べられ、各使用方法画像の間には次の作業の使用方法画像方向を示す方向指示記号が記載されている請求項１乃至請求項４記載のカタログ
【請求項６】
各使用方法画像は輪郭を有してそれぞれ独立に記載され、各使用方法画像の間に方向指示記号が記載されている請求項５記載のカタログ
【発明の詳細な説明】
【技術分野】
【０００１】
本発明は商品及びその商品の使用方法が記載されたカタログに関する。
【背景技術】
【０００２】
従来から、所定商品の同一部位の仕様が異なる複数の種類の商品を販売する場合に、互いに異なる仕様となされた同一部位の画像同士が比較できるように掲載されたカタログは存在している（例えば、特許文献１参照。）。
【特許文献１】特開２００２−１４００１０号公報
【０００３】
上述したように同種商品の同一部位の仕様が異なる複数の商品の同一部位の画像同士を比較できるカタログは存在している。商品の中にはこのように異なる仕様の画像をカタログに記載することに大きな意味をもつものが存在するが、そのほかの商品の中には商品の画像とその商品の使用方法を記載することに大きな意味をもつものが存在する。
【発明の開示】
【発明が解決しようとする課題】
【０００４】
商品の画像とその商品の使用方法を記載した従来のカタログは、商品の画像とその商品の使用方法図の位置関係が一定でなく、位置的に一定しない使用方法図がどの商品のものであるかすぐに理解できず、２００ページ以上の冊子として形成されたカタログなどでは読むために多くの時間がかかっていた。
【０００５】
また、使用方法図はいくつかの画像から成るのであるが、それらの画像の並べ方が多種多様であって一定せず、どの画像の順番に従って使用すればよいのか即座に判断できない場合が多くあった。本発明は、このような従来品の欠点を除去し、商品の画像を見たときに、その使用方法を即座に把握することができるカタログを提供することを目的とする。
【課題を解決するための手段】
【０００６】
本発明の請求項１は、少なくとも１枚の紙片に、商品の画像及びその商品の使用方法が記載されたカタログであって、前記1枚の紙片は左側の欄と右側の欄に分けられ、一方の欄は商品の概要を示す画像が記載された商品欄であり、他方の欄はその商品の一部又は全体の画像を利用した使用方法画像を含む使用方法が記載されている使用方法欄である構成である。
【０００７】
請求項２は、左右の欄はそれぞれ上下方向に複数の欄に分かれており、隣接する左右の欄の上下幅は同一で、上下方向の位置に関しても同一である要素が請求項１に限定的に付加された構成であり、請求項３は、商品欄内であってその商品欄の商品の画像と、その隣りの使用方法欄との間に、使用方法欄方向を指示する方向指示記号が記載されている要素が請求項１又は請求項２に限定的に付加された構成である。
【０００８】
請求項４は、左側の欄が商品欄であり、右側の欄が使用方法欄である要素が請求項１乃至請求項３に限定的に付加された構成であり、請求項５は、１つの使用方法欄に少なくとも２つの使用方法画像が記載され、該使用方法画像は作業の手順に従って並べられ、各使用方法画像の間には次の作業の使用方法画像方向を示す方向指示記号が記載されている要素が請求項１乃至請求項４に限定的に付加された構成である。
【０００９】
請求項６は、各使用方法画像は輪郭を有してそれぞれ独立に記載され、各使用方法画像の間に方向指示記号が記載されている要素が請求項５に限定的に付加された構成である。
【発明の効果】
【００１０】
本発明は以上のような構成であって、請求項１は、少なくとも１枚の紙片に、商品の画像及びその商品の使用方法が記載されたカタログであって、前記1枚の紙片は左側の欄と右側の欄に分けられ、一方の欄は商品の概要を示す画像が記載された商品欄であり、他方の欄はその商品の一部又は全体の画像を利用した使用方法画像を含む使用方法が記載されている使用方法欄である。したがって、一方の欄を見れば商品の概要を即座に把握でき、その隣りの欄に商品の一部又は全体の画像を利用した使用方法が記載されているので、その商品の使用方法を即座に把握することができるので、カタログによって商品を選択する作業を容易に行なうことができる。また、商品欄と使用方法欄が左右に分けられているので、どの図が商品の概要でどの図が使用方法を説明する図であるかを明確に把握できるので、商品知識を迅速に取り入れることができる。
【００１１】
請求項２は、左右の欄はそれぞれ上下方向に複数の欄に分かれており、隣接する左右の欄の上下幅は同一で、上下方向の位置に関しても同一である。したがって、複数の商品欄とそれと同数の使用方法欄はそれぞれ左右に規則正しく並ぶので、商品欄を見た後にその隣りを見れば使用方法が記載されているのから、各商品についての使用方法記載を探すことなく、迅速にカタログを読み進むことができる。また、各欄が規則正しく分かれていて一定の基準で内容が整理されているから読み易いという効果を奏する。
【００１２】
請求項３は、商品欄内であってその商品欄の商品の画像と、その隣りの使用方法欄との間に、使用方法欄方向を指示する方向指示記号が記載されている。したがって、その方向指示記号によって商品欄の横にその商品の使用方法が記載されていることがすぐに理解できるから、本発明のカタログを見た者は当該カタログの特徴をすぐに把握し、その特徴を生かしてカタログを迅速に読み進むことができる。
【００１３】
請求項４は、左側の欄が商品欄であり、右側の欄が使用方法欄である構成である。カタログの文字は横書きに記載されているから、文字を読むときに視線は左から右に向かうことになる。したがって、左側の欄が商品欄で右側の欄が使用方法欄に構成すると、最初に商品欄を見てその後に使用方法欄を見るときに視線は左から右に移るので、視線の移動は文字を読むときと同じであるからカタログを円滑に読み進むことができ、多数の商品を見るときに目の疲労を最小限に食い止めることができる。
【００１４】
請求項５は、１つの使用方法欄に少なくとも２つの使用方法画像が記載され、該使用方法画像は作業の手順に従って並べられ、各使用方法画像の間には次の作業の使用方法画像方向を示す方向指示記号が記載されている構成である。例えばインテリア施工用具には非常に多種類の工具が存在し、プロの職人でも多くの者が使用方法のわからない商品が存在する。このために、使用方法を記載するについて１つの使用方法画像では理解しずらいために、２図以上の使用方法画像を１つの使用方法欄に記載する。本請求項では各使用方法画像の間に次の作業の使用方法画像方向を示す方向指示記号が記載されているので、作業の手順を容易に理解できる。
【００１５】
請求項６は、各使用方法画像は輪郭を有してそれぞれ独立に記載され、各使用方法画像の間に方向指示記号が記載されている構成である。したがって、各使用方法画像が輪郭を有して別個独立して記載され、それらの間に方向指示記号が記載されているので、個々の作業を確実に理解及び確認して作業の流れも把握でき、実際に商品を使用する場合に戸惑うことがない。
【発明を実施するための最良の形態】
【００１６】
次に本発明を実施するための最良の形態について説明する。カタログ１は左側縁に沿って多数の孔２が設けられており、バインダーに多数のカタログを閉じることができる形式のものである。カタログの形式はこれに限定されないことは勿論である。カタログ１のほぼ中央の縦方向に仕切線３を描くことによって左側の欄と右側の欄とに分割されている。分割方法は仕切線３による場合に限定されないことは勿論であり、例えば左右を色分けしてもよく、そのほか左右を区別できるいかなる記載方法であっても差し支えない。
【００１７】
さらにカタログは横方向の仕切線４，５が描かれて上下方向について三等分されている。三等分する方法は仕切線４，５による場合に限定されないことは勿論であり、例えば上下に色分けしてもよく、そのほか上下を区別できるいかなる記載方法であっても差し支えない。また、等分でなくてもよいことは勿論である。さらに上下方向について三分に限定されないことは勿論であり、上下方向には分割しなくてもよく二分、四分あるはそれ以上であってもよい。
【００１８】
仕切線３，４，５によってカタログ１はほぼ６等分された２列３行の欄が出来上がる。左欄は商品欄６であり、矩形の輪郭７の中に商品の概要を示す画像８が記載され、そのほか商品名、品番、サイズ、上代等について記載されている。輪郭７は線図に限定されず色分け等いかなる記載方法であっても差し支えない。輪郭７と仕切線３との間には右方向を指示する三角記号１４が記載されている。この三角記号１４によって、視線は右に向けられて使用方法欄９に自然に移動するように仕向けられている。
【００１９】
右欄は使用方法欄９であり、上半部に使用方法を説明する文字が記載され、下半部に２つの使用方法画像１０，１１が記載されている。左側の使用方法画像１０には釘を抜く作業が記載され、右側の使用方法画像１１には釘を打ち付ける作業が記載されている。両画像１０，１１は共に輪郭１２，１３で仕切られており、両輪郭１２，１３の間には右方向を指示する三角記号１５が記載されている。輪郭１２，１３は線図に限定されず色分け等いかなる記載方法であっても差し支えない。左側の使用方法画像１０にはここに示された商品であるカーペットハンマーで最初に古い釘を抜く作業が記載され、右側の使用方法画像１１にはその後に新しい釘を打ち込む作業の手順が示されている。使用方法画像は商品の一部又は全部のほかに商品が使用される室内の部位や、商品をどのように把持するかを示す手などが記載される。各使用方法画像の間の三角記号１５によって複数の使用方法画像で示された作業の手順を即座に把握できる。
【００２０】
以上の説明は３行の欄の上段１６についてであるが、中段１７及び下段１８についても同様である。
【図面の簡単な説明】
【００２１】
【図１】本発明の正面図
【符号の説明】
【００２２】
１  カタログ
２  孔
３  仕切線
４  仕切線
５  仕切線
６  商品欄
７  輪郭
８  画像
９  使用方法欄
１０  使用方法画像
１１  使用方法画像
１２  輪郭
１３  輪郭
１４  三角記号
１５  三角記号
１６  上段
１７  中段
１８  下段
【図１】
2005031579.tif 000003